(57)【要約】【課題】ファンが正常に回転しなくなっても、発光部の過剰な昇温を抑制する。【解決手段】ファンユニット３４０において、モータ駆動部３４３により回転駆動されるプロペラ部３４２が発生させる風によって、発光部３００ｂが冷却される。ストロボマイコン３１０は、モータ回転数が回転数Ｎ１以下であるか否かによって、モータ駆動部３４３に異常が有るか否かを判定し、その判定結果に基づいて、連続発光時における発光部３００ｂの発光間隔を制御する。具体的には、ストロボマイコン３１０は、モータ駆動部３４３の異常時には非異常時よりも発光部３００ｂの発光間隔を長くする。【選択図】図９
2020134653.tif 000002
【特許請求の範囲】
【請求項１】
被写体を照明する光を発する発光部と、
前記発光部を冷却するファンと、
前記ファンを回転駆動する駆動手段と、
前記駆動手段に異常が有るか否かを判定する判定手段と、
前記判定手段の判定結果に基づいて、連続発光時における前記発光部の発光間隔を制御する制御手段と、を有することを特徴とする照明装置。
【請求項２】
前記制御手段は、前記判定手段により前記駆動手段に異常が有ると判定された場合は、前記駆動手段に異常が無いと判定された場合よりも、連続発光時における前記発光部の発光間隔を長くすることを特徴とする請求項１に記載の照明装置。
【請求項３】
前記制御手段は、前記判定手段により前記駆動手段に異常が有ると判定された場合は、前記発光部の発光のための充電が完了した後、前記発光部の発光を開始させるまでの待機時間を設けることで、前記発光部の発光間隔を制御することを特徴とする請求項１または２に記載の照明装置。
【請求項４】
前記判定手段は、前記駆動手段の異常の程度を複数段階で判定し、
前記制御手段は、前記判定手段により判定された前記駆動手段の異常の程度の段階ごとに、連続発光時における前記発光部の発光間隔を異ならせることを特徴とする請求項１〜３のいずれか１項に記載の照明装置。
【請求項５】
前記制御手段は、前記駆動手段に異常の程度が大きいほど、連続発光時における前記発光部の発光間隔を長くすることを特徴とする請求項４に記載の照明装置。
【請求項６】
前記制御手段は、前記駆動手段に異常の程度が、前記複数段階のうち所定の段階より重い段階に属する場合は、前記駆動手段による前記ファンの回転駆動を停止するよう制御することを特徴とする請求項４または５に記載の照明装置。
【請求項７】
前記判定手段は、前記駆動手段による前記ファンの駆動開始から設定時間が経過した後に、前記駆動手段に異常が有るか否かを判定することを特徴とする請求項１乃至６のいずれか１項に記載の照明装置。
【請求項８】
前記ファンの温度を検出する検出手段を有し、
前記制御手段は、前記検出手段により検出された温度が所定温度を超えた場合は、前記判定手段の判定結果に拘わらず、前記駆動手段による前記ファンの回転駆動を停止するよう制御することを特徴とする請求項１乃至７のいずれか１項に記載の照明装置。
【請求項９】
前記制御手段は、前記判定手段により前記駆動手段に異常が有ると判定された場合は、その旨を報知することを特徴とする請求項１乃至８のいずれか１項に記載の照明装置。
【請求項１０】
前記判定手段は、前記駆動手段の回転数を取得し、取得した回転数に基づいて、前記駆動手段に異常が有るか否かを判定することを特徴とする請求項１乃至９のいずれか１項に記載の照明装置。
【請求項１１】
前記判定手段は、前記取得した回転数が所定回転数以下である場合に、前記駆動手段に異常が有ると判定することを特徴とする請求項１０に記載の照明装置。
【請求項１２】
前記判定手段は、前記駆動手段の負荷を取得し、取得した負荷に基づいて、前記駆動手段に異常が有るか否かを判定することを特徴とする請求項１乃至９のいずれか１項に記載の照明装置。
【請求項１３】
前記判定手段は、前記取得した負荷が閾値以上である場合に、前記駆動手段に異常が有ると判定することを特徴とする請求項１２に記載の照明装置。
【請求項１４】
被写体を照明する光を発する発光部と、前記発光部を冷却するファンと、前記ファンを回転駆動する駆動手段と、を有する照明装置の制御方法であって、
前記駆動手段に異常が有るか否かを判定し、その判定結果に基づいて、連続発光時における前記発光部の発光間隔を制御することを特徴とする照明装置の制御方法。
【請求項１５】
請求項１乃至１３のいずれか１項に記載の照明装置と、撮像機能を備える撮像部と、を有することを特徴とする撮像装置。
【発明の詳細な説明】
【技術分野】
【０００１】
本発明は、被写体を照明する光を発する発光部と、当該発光部を冷却するファンとを有する照明装置およびその制御方法、撮像装置に関する。
【背景技術】
【０００２】
撮像装置に用いられるストロボ装置等の照明装置は、キセノン管、反射傘、フレネルパネルを含む発光部を有する。発光部の内部は、連続発光動作によって高温になる。発光部の温度上昇によって、発光部を構成する部材が変形などのダメージを受けるおそれがある。そのため、発光部を冷却するためにファンを設けた照明装置が知られている。
【０００３】
例えば、特許文献１の照明装置には、放電管とフレネルパネルとの間に、光を透過する遮蔽壁が設けられ、筐体内のフレネルパネル側の空間と筐体の外側の空間とを連通する通気口が、筐体の壁に複数設けられる。通気口からファンで外気を送ることで、フレネルパネルが冷却される。
【先行技術文献】
【特許文献】
【０００４】
【特許文献１】特許５２４６３１０号公報
【発明の概要】
【発明が解決しようとする課題】
【０００５】
しかしながら、特許文献１の照明装置では、ファンの寿命到達や故障などにより、ファンが正常に回転しない等の不具合が生じた場合でも、発光部の発光は通常通り行われるので、発光部が冷却されずに発光部の構成部材が過剰に昇温するおそれがある。
【０００６】
本発明は、ファンが正常に回転しなくなっても、発光部の過剰な昇温を抑制することを目的とする。
【課題を解決するための手段】
【０００７】
上記目的を達成するために本発明は、被写体を照明する光を発する発光部と、前記発光部を冷却するファンと、前記ファンを回転駆動する駆動手段と、前記駆動手段に異常が有るか否かを判定する判定手段と、前記判定手段の判定結果に基づいて、連続発光時における前記発光部の発光間隔を制御する制御手段と、を有することを特徴とする。
【発明の効果】
【０００８】
本発明によれば、ファンが正常に回転しなくなっても、発光部の過剰な昇温を抑制することができる。
【図面の簡単な説明】
【０００９】
【図１】照明装置を含む撮像システムの概略構成を示すブロック図である。
【図２】撮像システムの概略構成を示す断面図である。
【図３】ファンユニットの斜視図である。
【図４】ファンユニットの回路ブロック図、およびストロボマイコンのブロック図である。
【図５】ストロボマイコンに入力される回転パルス信号の遷移を示す図である。
【図６】カメラ側処理のフローチャートである。
【図７】図６の続きのフローチャートである。
【図８】ストロボ側処理のフローチャートである。
【図９】ファン動作処理のフローチャートである。
【図１０】ファンユニットの回路ブロック図、およびストロボマイコンのブロック図である。
【図１１】ストロボマイコンに入力される電圧レベルの遷移を示す図である。
【図１２】ファン動作処理のフローチャートである。
【発明を実施するための形態】
【００１０】
以下、図面を参照して本発明の実施の形態を説明する。
【００１１】
（第１の実施の形態）
図１は、本発明の第１の実施の形態に係る照明装置を含む撮像システムの概略構成を示すブロック図である。図２は、撮像システム１０の概略構成を示す断面図である。なお、図１と図２において、同一の構成要素については同じ符号を付している。また、一部の要素は図１に示されているが図２には示されておらず、別の一部の要素は図２には示されているが図１には示されていない。
【００１２】
撮像システム１０は、撮像機能を備える撮像部であるカメラ本体１００と、カメラ本体１００に装着されたレンズユニット２００と、カメラ本体１００に装着されたストロボ装置である照明装置３００とを有する。照明装置３００はカメラ本体１００に対して着脱自在である。レンズユニット２００はカメラ本体１００に固定（一体化）されていてもよいし、カメラ本体１００に対して着脱自在であってもよい。
【００１３】
カメラ本体１００には、マイクロコンピュータ（ＣＣＰＵ：以下カメラマイコンと呼ぶ）１０１が備えられている。カメラマイコン１０１はカメラ本体１００の全体を制御する。カメラマイコン１０１はマイコン内蔵ワンチップＩＣ回路である。カメラマイコン１０１はＣＰＵ、ＲＯＭ、ＲＡＭ、入出力制御回路（Ｉ／Ｏコントロール回路）、マルチプレクサ、タイマ回路、ＥＥＰＲＯＭ、Ａ／Ｄコンバータ、およびＤ／Ａコンバータなどを有している。カメラマイコン１０１は、プログラム（ソフトウェア）によって撮像システム１０の制御を行うとともに、各種の条件判定を行う。
【００１４】
撮像素子１０２は、赤外カットフィルタやローパスフィルタ等を含むＣＣＤ、ＣＭＯＳ等の撮像素子である。撮像素子１０２には、後述のレンズ群２０２によって被写体像が結像される。シャッタ１０３は撮像素子１０２を遮光する位置と、撮像素子１０２を露光する位置とに移動する。主ミラー（ハーフミラー）１０４は、レンズ群２０２より入射する光の一部を反射させてピント板１０５に結像させる位置と、レンズ群２０２より入射する光の撮像素子１０２への光路（撮影光路）内から退避する位置とに移動する。主ミラー（ハーフミラー）１０４は、非撮影の際にはレンズ群２０２を介して入射する光を反射させてピント板１０５に結像させる。撮影者はピント板１０５に投影された像を不図示の光学ファインダを介して確認できる。
【００１５】
測光回路（ＡＥ回路）１０６は、回路内に測光センサを備え、被写体を複数の領域に分割しそれぞれの領域で測光する。測光回路１０６内の測光センサには、ペンタプリズム１１４を介してピント板１０５に結像された被写体像が入射する。焦点検出回路（ＡＦ回路）１０７は、回路内に複数の測距ポイントを有する測距センサを備え、各測距ポイントのデフォーカス量などの焦点情報を出力する。
【００１６】
ゲイン切替回路１０８は撮像素子１０２から出力される電気信号を増幅するゲインを切り替えるための回路である。ゲインの切り替えは、撮影の条件やユーザの操作等に応じてカメラマイコン１０１により行われる。Ａ／Ｄ変換器１０９は、撮像素子１０２から出力され増幅されたアナログ信号をデジタル信号に変換する。タイミングジェネレータ（ＴＧ）１１０は、撮像素子１０２からのアナログ信号の入力とＡ／Ｄ変換器１０９の変換タイミングを同期させる。信号処理回路１１１は、Ａ／Ｄ変換器１０９でデジタル信号に変換された画像データに対して信号処理を行う。
【００１７】
通信ラインＬＣおよびＳＣはそれぞれ、カメラ本体１００と、レンズユニット２００および照明装置３００とのインタフェースである。例えば、カメラマイコン１０１をホストとして、カメラ本体１００、レンズユニット２００、および照明装置３００はデータの交換およびコマンドの伝達を相互に行う。通信ラインＬＣおよびＳＣはそれぞれ、端子１２０および１３０を有している。端子１２０は、ＳＣＬＫ＿Ｌ端子、ＭＯＳＩ＿Ｌ端子、ＭＩＳＯ＿Ｌ端子、およびＧＮＤ端子を備えている。
【００１８】
ＳＣＬＫ＿Ｌ端子はカメラ本体１００とレンズユニット２００との通信を同期させるための端子である。ＭＯＳＩ＿Ｌ端子はカメラ本体１００からレンズユニット２００にデータを送信するための端子である。ＭＩＳＯ＿Ｌ端子はレンズユニット２００からカメラ本体１００に送信されたデータを受信するための端子である。ＧＮＤ端子にはカメラ本体１００およびレンズユニット２００が接続される。
【００１９】
端子１３０は、カメラマイコン１０１に接続される。端子１３０は、カメラと照明装置やカメラアクセサリ装置とを着脱するアクセサリシューなどの端子である。端子１３０はＳＣＬＫ＿Ｓ端子、ＭＯＳＩ＿Ｓ端子、ＭＩＳＯ＿Ｓ端子、およびＧＮＤ端子を備えている。ＳＣＬＫ＿Ｓ端子はカメラ本体１００と照明装置３００との通信を同期させるための端子である。ＭＯＳＩ＿Ｓ端子はカメラ本体１００から照明装置３００にデータを送信するための端子である。ＭＩＳＯ＿Ｓ端子は照明装置３００からカメラ本体１００に送信されたデータを受信するための端子である。ＧＮＤ端子にはカメラ本体１００および照明装置３００が接続される。
【００２０】
入力部１１２は、電源スイッチ、レリーズスイッチ、および設定ボタンなどを備える操作部を有する。カメラマイコン１０１は入力部１１２での入力に応じて各種処理を実行する。レリーズスイッチが１段階操作（半押し）されると、第１のレリーズスイッチＳＷ１がＯＮとなって、カメラマイコン１０１は焦点調節および測光などの撮影準備動作を開始する。また、レリーズスイッチが２段階操作（全押し）されると、第２のレリーズスイッチＳＷ２がＯＮとなって、カメラマイコン１０１は露光および現像処理などの撮影動作を開始する。さらに、ユーザは、入力部１１２に備えられた設定ボタンを操作することによって、照明装置３００の各種設定を行うことができる。
【００２１】
表示部１１３には設定されたカメラの撮影モード、その他の撮影情報などが表示される。表示部１１３は、例えば、液晶表示装置および発光素子などを有している。ペンタプリズム１１４はピント板１０５に結像した被写体像を測光回路１０６内の測光センサ及び光学ファインダ（いずれも不図示）に導く。サブミラー１１５は主ミラー１０４を透過した光を焦点検出回路１０７内の測距センサ（不図示）に導く。
【００２２】
次に、レンズユニット２００の構成および動作を説明する。レンズユニット２００は、マイクロコンピュータＬＰＵ（以下、レンズマイコン）２０１を有する。レンズマイコン２０１は、レンズユニット２００の各部を制御する。レンズマイコン２０１は、例えば、ＣＰＵ、ＲＯＭ、ＲＡＭ、入出力制御回路（Ｉ／Ｏコントロール回路）、マルチプレクサ、タイマ回路、ＥＥＰＲＯＭ、Ａ／Ｄコンバータ、およびＤ／Ａコンバータを有するマイコン内蔵ワンチップＩＣ回路である。
【００２３】
レンズユニット２００は複数枚のレンズを有するレンズ群２０２を備えており、当該レンズ群２０２には少なくともフォーカスレンズが含まれている。レンズ駆動部２０３はレンズ群２０２に含まれるレンズを光軸に沿って移動させる。カメラマイコン１０１は、焦点検出回路１０７の検出出力に基づいて、レンズ群２０２を駆動する際の駆動量を算出し、レンズマイコン２０１に送る。
【００２４】
エンコーダ２０４はレンズ群２０２を駆動した際、レンズ群２０２の位置を検出する。レンズマイコン２０１は、カメラマイコン１０１で算出された駆動量に応じてレンズ駆動部２０３を制御する。そして、レンズマイコン２０１はエンコーダ２０４の出力が示す位置を参照してレンズ群２０２を駆動制御することで焦点調節を行う。また、レンズマイコン２０１は、算出された駆動量から焦点の合う距離を算出することができる。レンズマイコン２０１は、焦点調整後に再度、焦点を合わせた際に、駆動量から被写体の距離のずれを算出することができる。絞り２０５は、通過する光量を調節する。絞り２０５は、絞り制御部２０６を介してレンズマイコン２０１により制御される。
【００２５】
次に、照明装置３００の構成を説明する。照明装置３００は、カメラ本体１００に着脱可能に装着される本体部３００ａと、本体部３００ａに対して上下方向および左右方向に回動可能に保持される発光部３００ｂとを有している。照明装置３００は、マイクロコンピュータ（ＦＰＵ：ストロボマイコン）３１０を備えている。ストロボマイコン３１０は照明装置３００全体の制御を行う。ストロボマイコン３１０は、例えば、ＣＰＵ、ＲＯＭ、ＲＡＭ、入出力制御回路（Ｉ／Ｏコントロール回路）、マルチプレクサ、タイマ回路、ＥＥＰＲＯＭ、Ａ／Ｄ、およびＤ／Ａコンバータを有するマイコン内蔵ワンチップＩＣ回路である。
【００２６】
電池３０１は照明装置３００の電源（ＶＢＡＴ）として機能する。昇圧回路３０２は、昇圧部３０２ａ、電圧検出に用いる抵抗３０２ｂおよび３０２ｃ、並びにメインコンデンサ３０２ｄを有している。昇圧回路３０２は昇圧部３０２ａによって電池３０１の電圧を数百Ｖに昇圧し、メインコンデンサ３０２ｄに発光のための電気エネルギを蓄積する。メインコンデンサ３０２ｄの充電電圧は抵抗３０２ｂ、３０２ｃによって分圧されて、当該分圧された電圧はストロボマイコン３１０のＡ／Ｄ変換端子に入力される。トリガ回路３０３は、放電管３０５を励起させるためのパルス電圧を放電管３０５に印加する。発光制御回路３０４は、放電管３０５の発光の開始及び停止を制御する。放電管３０５は、トリガ回路３０３から印加される数ＫＶのパルス電圧を受けて励起され、メインコンデンサ３０２ｄに充電された電気エネルギを用いて発光する。
【００２７】
発光部３００ｂは、主に、放電管３０５、反射傘３０６、ズーム光学系３０７を備え、被写体を照明する光を発する。発光部３００ｂの照射範囲は、ズーム光学系３０７の移動により変化する。反射傘３０６は放電管３０５から発せられた光を反射させて所定の方向に導く。光学パネルなどを含むズーム光学系３０７は、放電管３０５との相対位置を変更可能に保持されている。放電管３０５とズーム光学系３０７との相対位置を変更することにより、照明装置３００の照射範囲の変化に応じてガイドナンバを変化させることができる。
【００２８】
温度測定ユニット３０８は、発光部３００ｂを空冷するためのファンユニット３４０の温度を検出する。温度測定ユニット３０８は、ストロボマイコン３１０とＦ＿ＴＥＭＰ信号で接続されている。例えば、温度測定ユニット３０８が、ファンの温度を一定間隔でモニタし、ファンが異常温度に上昇したかどうかをストロボマイコン３１０が判定する。ファンが異常温度に上昇したと判定したら、ストロボマイコン３１０はファン停止動作を行う。
【００２９】
フォトダイオード３１４は、放電管３０５から発せられる光を受光するセンサであり、直接またはグラスファイバなどを介して放電管３０５から発せられる光を受光して、その発光量に応じた検知出力（電流）を出力する。積分回路３０９はフォトダイオード３１４の出力である電流を積分する。積分回路３０９の出力（積分出力）はコンパレータ３１５の反転入力端子およびストロボマイコン３１０のＡ／Ｄコンバータ端子に入力される。コンパレータ３１５の非反転入力端子はストロボマイコン３１０のＤ／Ａコンバータ出力端子に接続され、コンパレータ３１５の出力端子はＡＮＤゲート３１１の入力端子の一方に接続される。ＡＮＤゲート３１１の入力端子の他方はストロボマイコン３１０の発光制御端子と接続され、ＡＮＤゲート３１１の出力端子は発光制御回路３０４に接続される。
【００３０】
入力部３１２は、電源スイッチ、照明装置３００の動作モードを設定するモード設定スイッチ、および各種パラメータを設定する設定ボタンなど備える操作部を有している。そして、ストロボマイコン３１０は、入力部３１２の入力に応じて各種処理を行う。表示部３１３には照明装置３００の状態を示す情報が表示される。表示部３１３には液晶装置および発光素子が備えられている。
【００３１】
ズーム駆動回路３３０は、ズーム検出部３３０ａおよびズーム駆動部３３０ｂを備えている。ズーム検出部３３０ａはエンコーダなどによって放電管３０５とズーム光学系３０７との相対的位置を検出する。ズーム駆動部３３０ｂはモータによってズーム光学系３０７を移動させる。ストロボマイコン３１０は、レンズマイコン２０１からカメラマイコン１０１を介して焦点距離情報を取得し、取得した焦点距離情報に応じてズーム光学系３０７の駆動量を求める。
【００３２】
図３は、ファンユニット３４０の斜視図である。ファンユニット３４０は、矢印Ａで示すように、吸入口３４０ａから外気を吸い込み、矢印Ｂで示すように、排出口３４０ｂから排出する構造になっている。ファンユニット３４０は発光部３００ｂの内部を冷却する。ファンユニット３４０において、駆動手段としてのモータ駆動部３４３（図４）により回転駆動されるプロペラ部３４２（ファン）が発生させる風によって、発光部３００ｂが冷却される。
【００３３】
図４は、ファンユニット３４０の回路ブロック図、およびストロボマイコン３１０のブロック図である。ファンユニット３４０はファンユニット本体３４１を有する。ファンユニット本体３４１は、主にプロペラ部３４２、モータ駆動部３４３、回転に応じてパルス信号を出力するＮＰＮトランジスタ３４９を有する。ＮＰＮトランジスタ３４９の出力方式はオープンコレクタ型である。モータ駆動部３４３は端子Ｐ１、Ｐ２等と接続されている。端子Ｐ１は、いずれもプロペラ部３４２を回転駆動するための、電源Ｖ＿ＩＮが入力される電源端子および端子ＦＡＮ＿Ｔと接続されている。電源Ｖ＿ＩＮと端子ＦＡＮ＿Ｔ１との接続の有無はストロボマイコン３１０で制御される。電源Ｖ＿ＩＮは、例えば、ストロボマイコン３１０により制御されるスイッチ（不図示）を介して、電池３０１の正極側に接続され、端子Ｐ２は電池３０１の負極側に接続される。
【００３４】
ＮＰＮトランジスタ３４９は、モータ駆動部３４３の回転に応じてパルス信号を出力する。プルアップ抵抗３４４は、ＮＰＮトランジスタ３４９のパルス信号（ＯＮ/ＯＦＦ）に応じて端子ＦＡＮ＿ＰＯに回転パルス信号を出力する。この回転パルス信号は、ストロボマイコン３１０の端子ＦＡＮ＿ＰＩに入力される。ストロボマイコン３１０内のパルスカウント検出部３４５は、入力された回転パルス信号に基づいて、単位時間当たりのパルス数を計測し、これにより、モータ駆動部３４３（ないしプロペラ部３４２）の回転数を算出する。パルスカウント検出部３４５の機能は、ストロボマイコン３１０が備えるＣＰＵ、ＲＯＭ、ＲＡＭ等の協働により実現される。
【００３５】
図５（ａ）〜（ｄ）は、ストロボマイコン３１０に入力される回転パルス信号の遷移を示す図である。各図において、縦軸は、回転パルス信号であるパルス電圧（端子ＦＡＮ＿ＰＯの出力電圧）を示し、横軸は時間（Ｔｉｍｅ）を示す。パルス電圧は、値ＶＯＬから値ＶＯＨまでの振幅の範囲内で変化する。以下、単位時間当たりにおけるモータ駆動部３４３の回転数を「モータ回転数」と呼称する。図５（ａ）、（ｂ）、（ｃ）、（ｄ）ではそれぞれ、モータ回転数が１、３／４、１／２、１／４であるときのパルス電圧を示している。モータ回転数は、モータ駆動部３４３の異常の有無、および異常の程度を計る指標となる。
【００３６】
正常時には、図５（ａ）に示すように、モータ駆動部３４３の１回転の所要時間は時間Ｔである。１パルスの時間は時間Ｔ１〜Ｔ８であり、時間Ｔ１〜Ｔ８は理想的には共通である。なお、デューティは５０％で設計されているが、実際には１パルスの時間にはバラつきによる変動がある。正常時には、モータ駆動部３４３が１回転する時間Ｔに４パルスが発生する。
【００３７】
図５（ｂ）は、モータ回転数が３／４に低下した状態を示している。従って、モータ駆動部３４３が１回転する時間Ｔに３パルスが発生する。同様に、図５（ｃ）は、モータ回転数が１／２に低下した状態を示し、モータ駆動部３４３が１回転する時間Ｔに２パルスが発生する。図５（ｄ）は、モータ回転数が１／４に低下した状態を示し、モータ駆動部３４３が１回転する時間Ｔに１パルスが発生する。パルスカウント検出部３４５は、パルスを計測して、モータ回転数を常時もしくは一定間隔で検出し、検出したモータ回転数をＲＡＭ等に記憶する。
【００３８】
次に、ファン動作並びに発光撮影に係るカメラ本体１００の各種処理を図６、図７を用いて説明する。図６および図７は、カメラ側処理のフローチャートである。この処理は、カメラ本体１００のカメラマイコン１０１が備えるＣＰＵが、それぞれカメラマイコン１０１が備えるＲＯＭに格納されたプログラムをＲＡＭに展開して実行することにより実現される。この処理は、入力部１１２に含まれる電源スイッチがＯＮされてカメラマイコン１０１が動作可能となると開始される。
【００３９】
ステップＳ１０１で、カメラマイコン１０１は、自身のメモリやポートの初期化を行う。また、カメラマイコン１０１は、入力部１１２に含まれるスイッチの状態や予め設定された入力情報を読み込み、シャッタースピードの決め方や絞りの決め方等、様々な撮影モードの設定を行う。ステップＳ１０２では、カメラマイコン１０１は、入力部１１２に含まれるレリーズボタンが半押しされてレリーズスイッチＳＷ１がオンとなるまで待機し、レリーズスイッチＳＷ１がオンとなると、処理をステップＳ１０３に進める。
【００４０】
ステップＳ１０３では、カメラマイコン１０１は、レンズユニット２００内のレンズマイコン２０１と通信ラインＬＣを介して通信を行い、レンズユニット２００の焦点距離情報、焦点調節、測光に必要な光学情報を取得する。ステップＳ１０４では、カメラマイコン１０１は、カメラ本体１００に照明装置３００が装着されているか否かを判別する。カメラマイコン１０１は、カメラ本体１００に照明装置３００が装着されていれば処理をステップＳ１０５へ進め、未装着ならば処理をステップＳ１２０に進める。なお、照明装置３００の装着・未装着は、公知のカメラ・ストロボ間の通信の有無により判別され、通信が行われていない場合は未装着、通信が行われていれば装着と判別される。なお、カメラ・ストロボ間の装着を公知の機械的なスイッチで判別してもよい。
【００４１】
ステップＳ１０５では、カメラマイコン１０１は、照明装置３００内のストロボマイコン３１０と通信ラインＳＣを介して通信を行い、照明ＩＤやメインコンデンサ３０２ｄの充電状態を示す充電情報などのストロボ情報を取得する。また、カメラマイコン１０１は、ステップＳ１０３にて取得した焦点距離情報をストロボマイコン３１０に送信する。これにより、ストロボマイコン３１０は、受信した焦点距離情報に基づいてズーム光学系３０７の駆動量を演算し、演算した駆動量に基づいてズーム光学系３０７を移動させて照明装置３００の照射範囲を焦点距離に合わせた範囲に変更する。
【００４２】
ステップＳ１０６では、カメラマイコン１０１は、入力部１１２を介して入力された照明装置３００に関する情報を照明装置３００のストロボマイコン３１０に送信する準備を行う。ここでは、カメラマイコン１０１は、入力された照明装置３００に関する情報を判断してコマンド送信に変換する。例えば、カメラマイコン１０１は、ファンユニット３４０のオンオフスイッチ、レリーズスイッチの状態などの情報をコマンドに変換する。ステップＳ１０７では、カメラマイコン１０１は、ステップＳ１０６で送信する準備をした照明装置３００に関する情報を照明装置３００へ送信する。
【００４３】
ステップＳ１０８では、カメラマイコン１０１は、設定されている焦点調節モードが自動焦点調節（ＡＦ）モードであるか否かを判別する。そしてカメラマイコン１０１は、焦点調節モードが自動焦点調節モードであれば処理をステップＳ１０９へ進め、手動焦点調節（ＭＦ）モードであれば処理をステップＳ１１１へ進める。ステップＳ１０９では、カメラマイコン１０１は、焦点検出回路１０７を駆動することにより周知の位相差検出法による焦点検出動作を行う。ステップＳ１０９ではまた、カメラマイコン１０１は、焦点調節において複数の測距点から焦点を合わせる測距点（測距ポイント）を、近点優先を基本の考え方とした周知の自動選択アルゴリズムや入力部１１２へのユーザの操作などに応じて選択・決定する。ステップＳ１１０では、カメラマイコン１０１は、ステップＳ１０９で決定された測距ポイントをカメラマイコン１０１内のＲＡＭに記憶させる。さらに、ステップＳ１１０にてカメラマイコン１０１は、焦点検出回路１０７からの焦点情報に基づきレンズ群２０２の駆動量を演算する。ステップＳ１１０ではさらに、カメラマイコン１０１は、レンズユニット２００内のレンズマイコン２０１と通信ラインＬＣを介して通信を行い、演算した駆動量に基づいてレンズ群２０２を移動させる。
【００４４】
ステップＳ１１１にてカメラマイコン１０１は、ファンユニット３４０の動作（ファン動作）を実行するか否かを判別する。ファン動作を実行するか否かは、入力部１１２あるいは入力部３１２に含まれるファンスイッチの状態や、その他のカメラ本体１００の状態などに基づいて判別される。カメラマイコン１０１は、ファンユニット３４０の動作を実行すると判別した場合は処理をステップＳ１１２へ進め、ファンユニット３４０の動作を実行しないと判別した場合は処理をステップＳ１１３へ移行する。なお、カメラマイコン１０１は、入力部１１２、３１２への入力指示に拘わらず、照明装置３００が充電動作を行う場合は、強制的に空冷ファンを動作させるべく、ファン動作を実行すると判別してもよい。
【００４５】
ステップＳ１１２では、カメラマイコン１０１は、ファンユニット３４０を動作させるための指令を照明装置３００のストロボマイコン３１０に送信する。これにより、照明装置３００において、後述する図９のファン動作処理が開始される。その後、カメラマイコン１０１は、処理をステップＳ１１３に進める。
【００４６】
ステップＳ１２０、Ｓ１２１、Ｓ１２２では、カメラマイコン１０１は、それぞれステップＳ１０８、Ｓ１０９、Ｓ１１０と同様の処理を実行する。ステップＳ１２２の後、カメラマイコン１０１は、処理をステップＳ１１３に進める。
【００４７】
ステップＳ１１３では、カメラマイコン１０１は、測光回路１０６を制御して測光を行い、測光回路１０６から測光結果を取得する。例えば、測光回路１０６の測光センサが６つに分割された領域のそれぞれで測光を行う場合、カメラマイコン１０１は、取得した測光結果としての各領域の輝度値を、ＥＶｂ（ｉ）（ｉ＝０〜５）として、ＲＡＭに記憶させる。ステップＳ１１４では、カメラマイコン１０１は、ゲイン切替回路１０８を制御して、入力部１１２を通じて入力されたゲイン設定に応じてゲイを切り替える。ゲイン設定とは、例えば、ＩＳＯ感度の設定である。また、ステップＳ１１４においてカメラマイコン１０１は、ストロボマイコン３１０と通信を行い、例えば、切り替え後のゲインを示すゲイン設定情報をストロボマイコン３１０に送信する。
【００４８】
ステップＳ１１５では、カメラマイコン１０１は、ステップＳ１１３で取得した測光結果（ＲＡＭに記憶されている各測光領域の輝度値）に基づき、周知のアルゴリズムにより露出演算を行って、露出値（ＥＶｓ）を決定する。ステップ１１６では、カメラマイコン１０１は、ストロボマイコン３１０から充電完了信号を受信したか否かを判別する。カメラマイコン１０１は、充電完了信号を受信した場合は処理をステップ１１７へ進め、充電完了信号を受信していない場合は処理をステップＳ１１８へ進める。
【００４９】
ステップＳ１１７では、カメラマイコン１０１は、ステップＳ１１５で算出した露出値に基づいて発光撮影に適した露出制御値（シャッタ速度（Ｔｖ）、絞り値（Ａｖ））を決定する。一方、ステップＳ１１８では、カメラマイコン１０１は、ステップＳ１１５で算出した露出値に基づいて、照明装置３００を発光させない非発光撮影に適した露出制御値を決定する。
【００５０】
ステップＳ１１７、Ｓ１１８の後、カメラマイコン１０１は、処理をステップＳ１１９に進める。ステップＳ１１９では、カメラマイコン１０１は、入力部１１２に含まれるレリーズボタンが全押しされてレリーズスイッチＳＷ２がオンになったか否かを判定する。カメラマイコン１０１は、レリーズスイッチＳＷ２がオフであると判別した場合、処理をステップＳ１０２へ戻し、レリーズスイッチＳＷ２がオンであると判別した場合、処理を図７のステップＳ２０１へ進める。
【００５１】
図７のステップＳ２０１以降の処理は、レリーズ処理であり、発光撮影に関わる処理を含む。非発光撮影に関わる処理は、ステップＳ２０１以降の処理の中で本発光を行うための処理を省略したものである。
【００５２】
ステップＳ２０１では、カメラマイコン１０１は、測光回路１０６を制御して、照明装置３００が発光していない状態で測光を行い、測光回路１０６から非発光時の測光結果（非発光時輝度値）を取得する。カメラマイコン１０１は、取得した各領域の非発光時輝度値を、ＥＶａ（ｉ）（ｉ＝０〜５）として、ＲＡＭに記憶させる。ステップＳ２０２では、カメラマイコン１０１は、ストロボマイコン３１０に対して通信ラインＳＣを介してプリ発光を指令する。ストロボマイコン３１０は、この指令に従って、トリガ回路３０３と発光制御回路３０４を制御して、所定光量でのプリ発光を行う。
【００５３】
ステップＳ２０３では、カメラマイコン１０１は、測光回路１０６を制御して、照明装置３００がプリ発光している状態で測光を行い、測光回路１０６から測光結果（プリ発光時輝度値）を取得する。そして、カメラマイコン１０１は、取得した各領域のプリ発光時輝度値を、ＥＶｆ（ｉ）（ｉ＝０〜５）として、ＲＡＭに記憶させる。ステップＳ２０４では、カメラマイコン１０１は、露光に先立って主ミラー１０４をアップさせ、撮影光路内から退避させる。
【００５４】
ステップＳ２０５では、式１により、非発光時輝度値とプリ発光時輝度値とに基づいて、プリ発光の反射光成分のみの輝度値ＥＶｄｆ（ｉ）を抽出する。この抽出処理は、６つの領域（ｉ＝０〜５）毎に行われる。
ＥＶｄｆ（ｉ）←ＬＮ２  （２＾ＥＶｆ（ｉ）−２＾ＥＶａ（ｉ））（ｉ＝０〜５）・・・（１）
【００５５】
ステップＳ２０６では、カメラマイコン１０１は、通信ラインＳＣを介してストロボマイコン３１０からプリ発光時の発光量を示すプリ発光情報（Ｑｐｒｅ）を取得する。ステップＳ２０７では、カメラマイコン１０１は、測距ポイント、焦点距離情報、プリ発光情報Ｑｐｒｅ及びストロボマイコン３１０との通信内容から、６つの測光領域のうちのどの領域の被写体に対して適正な発光量とするかを選択して、本発光量を演算する。すなわち、カメラマイコン１０１は、選択した領域（Ｐ）の被写体について、露出値ＥＶｓ、被写体輝度ＥＶｂ、およびプリ発光反射光分のみの輝度値ＥＶｄｆ（ｐ）に基づいて、プリ発光量に対して適正となる本発光量の相対比ｒを、式２により算出する。
ｒ←ＬＮ２（２＾ＥＶｓ−２＾ＥＶｂ（ｐ））−ＥＶｄｆ（ｐ）・・・（２）
【００５６】
ここで、露出値ＥＶｓから被写体輝度ＥＶｂの伸張したものの差分をとっているのは、照明光を照射したときの露出が、外光分に照明光を加えて適正となるように制御するためである。
【００５７】
ステップＳ２０８では、カメラマイコン１０１は、式３により、発光撮影時のシャッタ速度Ｔｖ、プリ発光の発光時間ｔ＿ｐｒｅ、および入力部１１２により予め設定された補正係数ｃを用いて、相対比ｒを補正することで、新たな相対比ｒ´を演算する。
ｒ´←ｒ＋Ｔｖ−ｔ＿ｐｒｅ＋ｃ・・・（３）
【００５８】
なお、相対比ｒをシャッタ速度Ｔｖとプリ発光の発光時間ｔ＿ｐｒｅを用いて補正するのは、プリ発光時の測光積分値ＩＮＴｐと本発光の測光積分値ＩＮＴｍとを正しく比較するためである。
【００５９】
ステップＳ２０９では、カメラマイコン１０１は、本発光量を決定するための相対比ｒ´に関する情報を、通信ラインＳＣを介してストロボマイコン３１０へ送信する。ステップＳ２１０では、カメラマイコン１０１は、ステップＳ１１７で決定した絞り値Ａｖになるようにレンズマイコン２０１に指令を出し、また、決定したシャッタ速度Ｔｖになるようにシャッタ１０３を制御する。
【００６０】
ステップＳ２１１では、カメラマイコン１０１は、通信ラインＳＣを介してストロボマイコン３１０に本発光の実行を指令する。これにより、ストロボマイコン３１０は、送信された相対比ｒ´に基づいて本発光を行う。こうして一連の露光動作が終了すると、ステップＳ２１２で、カメラマイコン１０１は、撮影光路内から退避させていた主ミラー１０４をダウンさせ、再び撮影光路内に斜設する。
【００６１】
ステップＳ２１３では、カメラマイコン１０１は、撮像素子１０２から出力される信号をゲイン切替回路１０８で設定されたゲインで増幅したのち、Ａ／Ｄ変換器１０９でデジタル信号に変換し、現像処理を行う。さらに、カメラマイコン１０１は、信号処理回路１１１により、デジタル信号に変換された画像データに対してホワイトバランス等の所定の信号処理を行う。
【００６２】
ステップＳ２１４では、カメラマイコン１０１は、信号処理が施された画像データを不図示のフラッシュメモリ等の記憶装置に記憶し、これにより一連の撮像処理は終了する。ステップＳ２１５では、カメラマイコン１０１は、レリーズスイッチＳＷ１がオンとなっているか否かを判定する。カメラマイコン１０１は、レリーズスイッチＳＷ１がオンであると判別した場合、処理をステップＳ１１９へ戻し、レリーズスイッチＳＷ１がオンになっていないと判別した場合、処理をステップＳ１０２へ戻す。
【００６３】
続いて、照明装置３００におけるストロボ充電・発光動作の制御とそれに伴うファン動作処理を図８、図９を用いて説明する。図８は、ストロボ側処理のフローチャートである。この処理は、照明装置３００のストロボマイコン３１０が備えるＣＰＵが、それぞれストロボマイコン３１０が備えるＲＯＭに格納されたプログラムをＲＡＭに展開して実行することにより実現される。この処理は、入力部３１２に含まれる電源スイッチがＯＮされてストロボマイコン３１０が動作可能となると開始される。このファン動作処理において、ストロボマイコン３１０は、本発明における判定手段、制御手段としての機能を果たす。
【００６４】
ステップＳ３０１では、ストロボマイコン３１０は、自身のメモリやポートの初期化を行う。ストロボマイコン３１０はまた、入力部３１２に含まれるスイッチの状態や予め設定された入力情報を読み込み、冷却ファンの動作、発光量の決め方、発光タイミング等、様々な発光モードの設定を行う。
【００６５】
ステップＳ３０２では、ストロボマイコン３１０は、ファン動作開始信号をファンユニット３４０に送信することで、ファンユニット３４０の動作を開始させる。なお、ファン動作開始を示すスイッチ動作を待ってファン動作開始信号を送信するようにしてもよい。ステップＳ３０３では、ストロボマイコン３１０は、ファン動作処理（図９）を実行する。
【００６６】
図９は、ファン動作処理のフローチャートである。この処理はステップＳ３０３で実行されるほか、前述のように、ステップＳ１１２でカメラマイコン１０１から送信されたファンユニット３４０の動作させるための指令をストロボマイコン３１０が受信した場合も開始される。
【００６７】
図９のステップＳ４０１では、ストロボマイコン３１０は、ファン動作準備を実施する。すなわち、ストロボマイコン３１０は、ファンユニット３４０のモータ駆動部３４３に電力を入力する。そして、ステップＳ４０２では、ストロボマイコン３１０は、モータ駆動部３４３を動作させ、プロペラ部３４２の回転が開始される。これと同時に、パルスカウント検出部３４５は、入力される回転パルス信号に基づいて、モータ駆動部３４３の単位時間当たりの回転数（モータ回転数）を算出する処理を開始する。モータ回転数は時間経過と共に更新され、ストロボマイコン３１０は、最新のモータ回転数を保持する。
【００６８】
ストロボマイコン３１０は、ステップＳ４０３でタイマを開始し、ステップＳ４０４では、タイマ開始から設定時間が経過するまで待機する。設定時間は、ストロボマイコン３１０内のＲＯＭ等の記憶部に予め記憶されている。タイマ開始から設定時間が経過したときのモータ回転数が、後述する回転数Ｎ１、Ｎ２またはＮ３と比較される。ここで、比較するモータ回転数を確定するために設定時間の経過を待つのは、ファン動作が安定した状態で正確なモータ回転数を取得するためである。タイマ開始から設定時間が経過すると、ファン動作開始から設定時間が経過したので、ストロボマイコン３１０は、処理をステップＳ４０５に進める。
【００６９】
ここで、回転数Ｎ１、Ｎ２、Ｎ３の大小関係は、Ｎ１＞Ｎ２＞Ｎ３である。回転数Ｎ１は、モータ駆動部３４３の異常の有無を判別するための閾値（所定回転数）である。モータ回転数が回転数Ｎ１を超える場合はモータ駆動部３４３に異常が無く、モータ回転数が回転数Ｎ１以下であればモータ駆動部３４３に異常があると判別される。回転数Ｎ１は、モータ駆動部３４３の耐久性を考慮して決定されている。例えば、モータ駆動部３４３を、回転数Ｎ１を超える回転数で回転させれば、予め定められた回転回数（耐久超過回数）だけモータ駆動部３４３を使用することが可能である。
【００７０】
回転数Ｎ２、Ｎ３はモータ駆動部３４３の異常の程度を判別するための閾値である。例えば、Ｎ１≧モータ回転数＞Ｎ２であれば第１の異常状態、Ｎ２≧モータ回転数＞Ｎ３であれば第２の異常状態、Ｎ３≧モータ回転数であれば第３の異常状態、と判別される。異常の程度は、第３の異常状態＞第２の異常状態＞第１の異常状態であり、第３の異常状態が最も重い。回転数Ｎ３は、ファンの故障状態を想定して設定される。回転数Ｎ１、Ｎ２、Ｎ３は、ストロボマイコン３１０のＲＯＭ等に記憶されている。
【００７１】
ステップＳ４０５では、ストロボマイコン３１０は、モータ回転数が回転数Ｎ１以下（所定回転数以下）であるか否かを判別する。そしてストロボマイコン３１０は、モータ回転数が回転数Ｎ１以下である場合は、処理をステップＳ４０７に進め、モータ回転数が回転数Ｎ１を超える場合は、処理をステップＳ４０６に進める。ステップＳ４０６では、ストロボマイコン３１０は、発光制限を設定することなく（発光間隔制御３を設定し）、処理をステップＳ４１５に進める。
【００７２】
ここで、発光制限は、連続発光による発光部３００ｂの温度上昇の低減を目的として連続発光時の発光間隔を設ける制御である。本実施の形態では、発光制限には、上記した発光間隔制御３のほか、発光間隔制御１、発光間隔制御２がある。発光間隔制御１、２では、ストロボマイコン３１０は、モータ駆動部３４３に異常が無いと判定された場合に比べて発光間隔を長くする。発光間隔の長さについては、発光間隔制御２の方が発光間隔制御１よりも長い。発光間隔制御１、発光間隔制御２はそれぞれ、第１の異常状態時、第２の異常状態時に設定される。発光間隔制御２での発光間隔が、発光間隔制御１より長いのは、第２の異常状態の方が第１の異常状態よりも異常の程度が重いからである。すなわち、異常の程度が重いほど、発光部３００ｂが冷却されずに発光部３００ｂが過剰に昇温するおそれが高いからである。発光間隔制御１、発光間隔制御２のそれぞれおける発光間隔は、回転数低下に伴うファンの放熱損失を考慮して予め設定され、ストロボマイコン３１０のＲＯＭ等に記憶されている。
【００７３】
ストロボマイコン３１０は、モータ駆動部３４３の異常の有無および程度に基づいて、ステップＳ４０６、後述するステップＳ４０８、Ｓ４１１、Ｓ４１３において、連続発光時における発光部３００ｂの発光間隔制御を設定する。ここで設定された発光間隔制御は、後述するステップＳ３０９、Ｓ３１０で、充電完了後の待機時間として反映される。例えば、ステップＳ４０６では、モータ駆動部３４３に異常がないので、ストロボマイコン３１０は、発光間隔制御３を設定する。言い換えると、発光間隔制御３は、発光間隔をゼロとする発光間隔制御である。例えば、図５（ａ）に示す正常時には、発光間隔制御３が設定される。なお、発光間隔制御３は、発光間隔がゼロであることに限定されず、発光間隔制御１による発光間隔より短い時間の発光間隔を設けた発光間隔制御であってもよい。
【００７４】
ステップＳ４０７では、ストロボマイコン３１０は、モータ回転数が回転数Ｎ２以下であるか否かを判別する。そしてストロボマイコン３１０は、モータ回転数が回転数Ｎ２以下である場合は、処理をステップＳ４１０に進め、モータ回転数が回転数Ｎ２を超える場合は、処理をステップＳ４０８に進める。ステップＳ４０８では、ストロボマイコン３１０は、Ｎ１≧モータ回転数＞Ｎ２となる第１の異常状態であるので、第１の警告表示を実行すると共に、ステップＳ４０９で、発光間隔制御１を設定する。例えば、図５（ｂ）に示す回転数減少状態においては、発光間隔制御１が設定される。なお、ステップＳ４０８での第１の警告表示においては、モータ回転数が減少している旨等のメッセージを、表示部３１３に表示する。その後、ストロボマイコン３１０は、処理をステップＳ４１５に進める。
【００７５】
ステップＳ４１０では、ストロボマイコン３１０は、モータ回転数が回転数Ｎ３以下であるか否かを判別する。そしてストロボマイコン３１０は、モータ回転数が回転数Ｎ３以下である場合は、処理をステップＳ４１３に進め、モータ回転数が回転数Ｎ３を超える場合は、処理をステップＳ４１１に進める。ステップＳ４１１では、Ｎ２≧モータ回転数＞Ｎ３となる第２の異常状態であるので、ストロボマイコン３１０は、第２の警告表示を実行すると共に、ステップＳ４１２で、発光間隔制御２を設定する。例えば、図５（ｃ）に示す回転数異常減少状態においては、発光間隔制御２が設定される。なお、ステップＳ４１１での第２の警告表示においては、モータ回転数が異常減少している旨等のメッセージを、表示部３１３に表示する。その後、ストロボマイコン３１０は、処理をステップＳ４１５に進める。
【００７６】
ステップＳ４１３では、Ｎ３≧モータ回転数となる第３の異常状態であるので、ストロボマイコン３１０は、第３の警告表示を実行する。この第３の警告表示では、例えば、モータないしファンが故障している旨等のメッセージを、表示部３１３に表示する。例えば、図５（ｄ）に示すような、ファンの故障が想定される状態においては、ステップＳ４１３が実行される。次に、ステップＳ４１４では、ストロボマイコン３１０は、ファンユニット３４０の電源を遮断することでファン動作を停止させる。その後、ストロボマイコン３１０は、処理をステップＳ４１２に進める。
【００７７】
ステップＳ４１５では、ストロボマイコン３１０は、ファンユニット３４０を停止させるための停止信号がある等によって、ファンユニット３４０を停止させるか否かを判別する。このステップＳ４１５では、停止信号に限らず、ファンユニット３４０の温度によりファンユニット３４０を停止させるか否かを判別してもよい。例えば、温度測定ユニット３０８による温度モニタ結果から、ファンユニット３４０が所定温度を超える異常温度に上昇したと判断される場合は、ストロボマイコン３１０は、ファンユニット３４０を停止させると判別する。
【００７８】
ステップＳ４１５での判別の結果、ファンユニット３４０を停止させると判別した場合は、ストロボマイコン３１０は、ステップＳ４１６で、ファンユニット３４０の電源力を遮断し、ファンユニット３４０の動作を停止させる。なお、この際、ファンユニット３４０の動作を停止する旨を報知してもよい。その後、ストロボマイコン３１０は、処理をステップＳ４１７へ進める。ステップＳ４１７では、ストロボマイコン３１０は、ステップＳ４１２と同様の発光間隔制御２を設定する。その後、ストロボマイコン３１０は、図９のファン動作処理を終了させる。一方、ファンユニット３４０を停止させると判別しなかった場合は、ストロボマイコン３１０は、図９のファン動作処理を終了させる。
【００７９】
図８のステップＳ３０３の後、ステップＳ３０４では、ストロボマイコン３１０は、昇圧回路３０２の動作を開始させてメインコンデンサ３０２ｄの充電を開始する。ステップＳ３０５では、ストロボマイコン３１０は、メインコンデンサ３０２ｄの充電電圧が所定値以上となった（充電完了した）か否かを判別する。そして、ストロボマイコン３１０は、メインコンデンサ３０２ｄの充電電圧が所定値以上となった場合は処理をステップＳ３０７へ進め、充電電圧が所定値未満であれば処理をステップＳ３０６へ進める。ステップＳ３０６では、ストロボマイコン３１０は、充電未完信号をカメラマイコン１０１へ送信し、処理をステップＳ３０３へ戻す。
【００８０】
ステップＳ３０７では、ストロボマイコン３１０は、発光制限が設定されているか否かを判別する。具体的には、ストロボマイコン３１０は、発光間隔制御１または発光間隔制御２の設定がされているか否かを判別する。ストロボマイコン３１０は、発光制限が設定されていない場合は、処理をステップＳ３１１に進める。一方、ステップＳ３０７での判別の結果、発光制限が設定されている場合は、ステップＳ３０８で、ストロボマイコン３１０は、その発光制限が、発光間隔制御１であるか否かを判別する。そしてストロボマイコン３１０は、発光制限が発光間隔制御１である場合は、処理をステップＳ３０９に進め、発光制限が発光間隔制御１でない場合は、発光間隔制御２であるので、処理をステップＳ３１０に進める。
【００８１】
ステップＳ３０９では、ストロボマイコン３１０は、「発光間隔タイマ設定１」として第１所定時間（例えば１０秒）だけ待機すると共に、第１所定時間が経過するまでの間、発光間隔制御を実行する旨を表示等によって報知する。その後、ストロボマイコン３１０は、処理をステップＳ３１１に進める。ステップＳ３１０では、ストロボマイコン３１０は、「発光間隔タイマ設定２」として第２所定時間（例えば３０秒）だけ待機すると共に、第２所定時間が経過するまでの間、発光間隔制御を実行する旨を表示等によって報知する。その後、ストロボマイコン３１０は、処理をステップＳ３１１に進める。なお、第１所定時間、第２所定時間は予めストロボマイコン３１０のＲＯＭ等に記憶されている。第１所定時間、第２所定時間は例示した値に限定されないが、長さについては、第１所定時間＜第２所定時間である。
【００８２】
ステップＳ３１１では、ストロボマイコン３１０は、充電完了信号をカメラマイコン１０１へ送信し、処理をステップＳ３１２へ進める。ステップＳ３１２では、ストロボマイコン３１０は、カメラマイコン１０１から発光命令として発光開始信号を受信したか否かを判別する。そして、発光開始信号を受信していない場合は、ストロボマイコン３１０は、図８に示すストロボ側処理を終了させる。この場合、発光はなされない。一方、発光開始信号を受信している場合は、ストロボマイコン３１０は、ステップＳ３１３で、受信した発光開始信号に応じて発光制御回路３０４に発光開始指示を行う。ステップＳ３１４では、ストロボマイコン３１０は、発光制御回路３０４を制御して、発光開始指示に従って放電管３０５を発光させる。その後、ストロボマイコン３１０は、図８に示すストロボ側処理を終了させる。
【００８３】
ステップＳ３０７からステップＳ３１１に移行した場合は、発光制限がないので、充電完了信号は直ちに送信処理される。そのため、実質的に、前回の発光からの発光間隔は無いかまたは短く処理される。一方、ステップＳ３０９またはステップＳ３１０からステップＳ３１１に移行した場合は、発光制限があるので、強制的に第１所定時間または第２所定時間の時間間隔を保って発光がなされる。これにより、発光間隔が長くなることで発光部３００ｂの温度上昇を緩和することができる。
【００８４】
なお、上記各フローチャートは一例であるので、不都合がない限り、例示したものとは異なる順序で各ステップ処理を実行しても構わない。
【００８５】
本実施の形態によれば、ストロボマイコン３１０は、モータ回転数が回転数Ｎ１以下であるか否かによって、モータ駆動部３４３に異常が有るか否かを判定する。ストロボマイコン３１０は、モータ駆動部３４３に異常が有るか否かの判定結果（異常の有無および程度）に基づいて、連続発光時における発光部３００ｂの発光間隔を制御する。具体的には、ストロボマイコン３１０は、モータ駆動部３４３の異常時には非異常時よりも発光部３００ｂの発光間隔を長くする（Ｓ４０９、Ｓ４１２、Ｓ３０９、Ｓ３１０）。これにより、ファンユニット３４０が正常に回転しなくなっても、発光部３００ｂの過剰な昇温を抑制することができる。
【００８６】
また、ストロボマイコン３１０は、モータ駆動部３４３の異常の程度を複数段階で判定し、異常の程度の段階ごとに、連続発光時における発光部３００ｂの発光間隔を異ならせる（Ｓ３０９、Ｓ３１０）。具体的には、異常の程度が大きいほど、連続発光時における発光間隔を長くする。これにより、異常の程度に応じて、発光と昇温防止との両立を図ることができる。
【００８７】
また、モータ駆動部３４３の異常の程度が、複数段階のうち所定の段階（Ｎ２以下でＮ３超え）より重い段階（Ｎ３以下）に属する場合は、ストロボマイコン３１０は、モータ駆動部３４３によるプロペラ部３４２の回転駆動を停止する（Ｓ４１４）。これにより、異常が重度である場合に、ファンユニット３４０のさらなる発熱を抑制して、深刻な故障を回避することができる。また、ファンユニット３４０が所定温度を超えた場合、ストロボマイコン３１０は、モータ駆動部３４３の異常有無の判定結果に拘わらず、モータ駆動部３４３によるプロペラ部３４２の回転駆動を停止する（Ｓ４１６）。これにより、過昇温時にも、ファンユニット３４０のさらなる発熱を抑制して、深刻な故障を回避することができる。
【００８８】
また、ストロボマイコン３１０は、プロペラ部３４２の駆動開始から設定時間が経過した後に、モータ駆動部３４３に異常が有るか否かを判定する（Ｓ４０４）。これにより、ファン動作が安定した状態でモータ回転数を取得し、異常判定精度を向上させることができる。
【００８９】
また、ストロボマイコン３１０は、モータ駆動部３４３に異常が有ると判定された場合は、その旨を報知する（Ｓ４０８、Ｓ４１１、Ｓ４１３）ので、ユーザに対して、モータ駆動部３４３の異常発生を知らせることができる。ステップＳ４０８、Ｓ４１１、Ｓ４１３における警告表示は、表示部３１３に予め用意された警告アイコンを表示してもよいし、ポップアップ表示してもよい。なお、メッセージの内容等によって、異常の段階に応じて異なる報知を行うことで、異常程度を知らせてもよい。また、Ｓ４０８、Ｓ４１１、Ｓ４１３における報知の態様は、表示によることに限定にされず、音声報知であってもよい。
【００９０】
（第２の実施の形態）
第１の実施の形態に対し、図４、図５、図９に代えて、図１０、図１１、図１２を用いて本発明の第２の実施の形態を説明する。
【００９１】
図１０は、本実施の形態におけるファンユニット３４０の回路ブロック図、およびストロボマイコン３１０のブロック図である。ストロボマイコン３１０は、ＦＡＮ＿Ｉ＿ＳＥＮ端子を有すると共に、負荷電流検出部３４７を備える。また、ファンユニット３４０は、ＦＡＮ＿Ｏ＿ＳＥＮ端子を有すると共に、モータ駆動部３４３の負荷電流を検出する電圧レベル出力部３４６を有する。その他の構成は第２の実施の形態と同様である。本実施の形態では、ファンユニット３４０に入力される電源電流に基づいて発光制限が設定される。
【００９２】
電圧レベル出力部３４６は、電源Ｖ＿ＩＮが入力される電源端子と端子ＦＡＮ＿Ｔとの間に接続される。電圧レベル出力部３４６は、抵抗、ＡＤコンバータおよびコンパレータを含む。電圧レベル出力部３４６は、例えば、上記電源端子から入力された電源Ｖ＿ＩＮの電流量を電圧レベルに変換する。電圧レベルは、ＦＡＮ＿Ｏ＿ＳＥＮ端子からストロボマイコン３１０のＦＡＮ＿Ｉ＿ＳＥＮ端子を介してストロボマイコン３１０に入力される。負荷電流検出部３４７は、ＡＤコンバータ、コンパレータを含み、入力された電圧レベルから、負荷電流を検出する。これにより、ストロボマイコン３１０は、モータ駆動部３４３の負荷を取得する。
【００９３】
図１１（ａ）〜（ｄ）は、ストロボマイコン３１０に入力される電圧レベルの遷移を示す図である。各図において、縦軸は、ＦＡＮ＿Ｏ＿ＳＥＮ端子の出力（電圧レベル）を示し、横軸は時間（Ｔｉｍｅ）を示す。図１１（ａ）〜（ｄ）において、横軸は図５（ａ）〜（ｄ）に示すものと同じである。
【００９４】
ファンユニット３４０に電源電流が入力されたとき、電圧レベルの下限値は、図５（ａ）〜（ｄ）のいずれの状態でもＳＥＮ＿Ｌレベルである。電圧レベルの上限値は、図５（ａ）、（ｂ）、（ｃ）、（ｄ）のそれぞれにおいて、ＳＥＮ＿Ｈレベル、ＳＥＮ＿Ｈ１レベル、ＳＥＮ＿Ｈ２レベル、ＳＥＮ＿Ｈ３レベルである。モータ駆動部３４３の負荷が大きいほど、電圧レベルの上限値が高い。電圧レベルの上限値の大小関係は、ＳＥＮ＿Ｈ＜ＳＥＮ＿Ｈ１＜ＳＥＮ＿Ｈ２＜ＳＥＮ＿Ｈ３となっている。従って、図５（ａ）が正常状態であり、負荷の大小関係は、図５（ａ）＜図５（ｂ）＜図５（ｃ）＜図５（ｄ）で、図５（ｄ）の状態が最も高負荷である。
【００９５】
図１２は、ファン動作処理のフローチャートである。この処理の実行主体や開始条件は、図９のファン動作処理と同様である。図１２のフローチャートにおいて、図９のステップＳ４０５、Ｓ４０７、Ｓ４１０に代えて、Ｓ５０５、Ｓ５０７、Ｓ５１０が設けられている。その他のステップは、図９と同様である。
【００９６】
以下に登場する値I_１、値I_２、値I_３はそれぞれ、電圧変換すると、ＳＥＮ＿Ｈ１レベル（図１１（ｂ））、ＳＥＮ＿Ｈ２レベル（図１１（ｃ））、ＳＥＮ＿Ｈ３レベル（図１１（ｄ））に相当する。ここで、値I_１、値I_２、値I_３の大小関係は、I_１＜I_２＜I_３である。値I_１は、モータ駆動部３４３の異常の有無を判別するための閾値である。一般的に、使用回数が多くなるとモータ駆動部の負荷が重くなって、電源電流が通常より多く流れることから、入力電流は異常の程度の判別に利用できる。ファンユニット３４０への入力電流が値I_１未満の場合はモータ駆動部３４３に異常が無く、入力電流が値I_１以上であればモータ駆動部３４３に異常があると判別される。値I_１は、モータ駆動部３４３の耐久性を考慮して決定されている。例えば、入力電流が値I_１未満の状態で、モータ駆動部３４３を、予め定められた回転回数（耐久超過回数）だけモータ駆動部３４３を使用することが可能である。
【００９７】
値I_２、値I_３はモータ駆動部３４３の異常の程度を判別するための閾値である。例えば、I_１≦入力電流＜I_２であれば第１の異常状態、I_２≦入力電流＜I_３であれば第２の異常状態、I_３≦入力電流であれば第３の異常状態、と判別される。異常の程度は、第３の異常状態＞第２の異常状態＞第１の異常状態であり、第３の異常状態が最も重い。値I_３は、ファンの故障状態を想定して設定される。値I_１、値I_２、値I_３は、ストロボマイコン３１０のＲＯＭ等に記憶されている。
【００９８】
ステップＳ５０５では、ストロボマイコン３１０は、ファンユニット３４０への入力電流が値I_１以上（閾値以上）である否かを判別する。そしてストロボマイコン３１０は、入力電流が値I_１以上である場合は、処理をステップＳ５０７に進め、入力電流が値I_１未満である場合は、処理をステップＳ４０６に進める。
【００９９】
ステップＳ５０７では、ストロボマイコン３１０は、ファンユニット３４０への入力電流が値I_２以上である否かを判別する。そしてストロボマイコン３１０は、入力電流が値I_２以上である場合は、処理をステップＳ５１０に進め、入力電流が値I_２未満である場合は、処理をステップＳ４０８に進める。
【０１００】
ステップＳ５１０では、ストロボマイコン３１０は、ファンユニット３４０への入力電流が値I_３以上である否かを判別する。そしてストロボマイコン３１０は、入力電流が値I_３以上である場合は、処理をステップＳ４１３に進め、入力電流が値I_３未満である場合は、処理をステップＳ４１１に進める。
【０１０１】
本実施の形態によれば、ストロボマイコン３１０は、ファンユニット３４０への入力電流からモータ駆動部３４３の負荷を取得し、取得した負荷に基づいて、モータ駆動部３４３に異常が有るか否かを判定する。そして、ストロボマイコン３１０は、モータ駆動部３４３に異常が有るか否かの判定結果（異常の有無および程度）に基づいて、連続発光時における発光部３００ｂの発光間隔を制御する。
【０１０２】
よって、ファンユニット３４０が正常に回転しなくなっても、発光部３００ｂの過剰な昇温を抑制することに関し、第１の実施の形態と同様の効果を奏することができる。
【０１０３】
なお、モータ駆動部３４３の負荷を取得する手法は例示したものに限定されない。例えば、モータ駆動部３４３のトルクを検出してもよい。
【０１０４】
なお、上記各実施の形態では、異常の程度を３段階に分けたが、最低限、異常なしと異常有りとに分ければよく、４段階以上に分けてもよい。
【０１０５】
なお、本発明は、照明装置とカメラ本体とが一体となった撮像装置にも適用可能である。また、本発明は、照明装置とカメラ本体とレンズユニットとが一体となった撮像装置にも適用可能である。これらの際には、ストロボマイコン３１０が実行すると説明した各制御を、カメラマイコン１０１が実行するようにしてもよい。
【０１０６】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【０１０７】
３００ｂ  発光部
３１０  ストロボマイコン
３４０  ファンユニット
３４２  プロペラ部
３４３  モータ駆動部
【図１】
2020134653.tif 000003
【図２】
2020134653.tif 000004
【図３】
2020134653.tif 000005
【図４】
2020134653.tif 000006
【図５】
2020134653.tif 000007
【図６】
2020134653.tif 000008
【図７】
2020134653.tif 000009
【図８】
2020134653.tif 000010
【図９】
2020134653.tif 000011
【図１０】
2020134653.tif 000012
【図１１】
2020134653.tif 000013
【図１２】
2020134653.tif 000014